(57)【要約】【課題】  プロジェクター等において、装置を制御する手段の制御負担を緩和し、動作の安定化を可能にする。【解決手段】  プロジェクターは、異なる色成分の表示制御を行う複数のタイミングコントローラー２００Ｒ、２００Ｇ、２００Ｂを有し、複数のタイミングコントローラーにおける１つのタイミングコントローラーは、表示制御に加えて、複数のタイミングコントローラーのうち１つのタイミングコントローラーが単独で実行する必要のあるマスター制御、例えば光源制御部２１１による光源制御処理を行うマスタータイミングコントローラーとして機能する。プロジェクターでは、交替原因の発生に応じて、マスタータイミングコントローラーが現にマスタータイミングコントローラーであるタイミングコントローラーから他のタイミングコントローラーに交替する。【選択図】図１
2019062334.tif 000002
【特許請求の範囲】
【請求項１】
異なる色成分の表示制御を行う複数のコントローラーを有し、
前記複数のコントローラーにおける１つのコントローラーは、前記表示制御に加えて、前記複数のコントローラーのうち１つのコントローラーが単独で実行する必要のあるマスター制御を行うマスターコントローラーとして機能し、
交替原因の発生に応じて、前記マスターコントローラーが現にマスターコントローラーであるコントローラーから他のコントローラーに交替することを特徴とするプロジェクター。
【請求項２】
画像表示が一時停止するタイミングにおいて、マスターコントローラーの交替を行うことを特徴とする請求項１に記載のプロジェクター。
【請求項３】
マスターコントローラーの温度又はその周囲温度が所定の温度以上になった場合に前記マスターコントローラーの交替を行うことを特徴とする請求項１または２に記載のプロジェクター。
【請求項４】
マスターコントローラーとしての稼働時間が所定の時間以上になった場合に前記マスターコントローラーの交替を行うことを特徴とする請求項１乃至３のうちいずれか１項に記載のプロジェクター。
【請求項５】
前記複数のコントローラーは、異なる色成分に対応した複数の画像生成パネルの駆動制御を行う複数のタイミングコントローラーであり、
前記マスターコントローラーであるタイミングコントローラーは、前記複数の画像生成パネルに出力光を供給する光源の制御を行うことを特徴とする請求項１乃至４のうちいずれか１項に記載のプロジェクター。
【請求項６】
異なる色成分の表示制御を行う複数のコントローラーを有し、
前記複数のコントローラーにおける１つのコントローラーは、前記表示制御に加えて、前記複数のコントローラーのうち１つのコントローラーが単独で実行する必要のあるマスター制御を行うマスターコントローラーとして機能し、
交替原因の発生に応じて、前記マスターコントローラーが現にマスターコントローラーであるコントローラーから他のコントローラーに交替することを特徴とする表示装置。
【請求項７】
共通の制御対象の制御を分担して行う複数のコントローラーを有し、
前記複数のコントローラーにおける１つのコントローラーは、前記分担して行う制御に加えて、前記複数のコントローラーのうち１つのコントローラーが単独で実行する必要のあるマスター制御を行うマスターコントローラーとして機能し、
交替原因の発生に応じて、前記マスターコントローラーが現にマスターコントローラーであるコントローラーから他のコントローラーに交替することを特徴とする電子機器。
【請求項８】
共通の制御対象の制御を分担して行う複数のコントローラーを有する電子機器の制御方法において、
前記複数のコントローラーにおける１つのコントローラーを、前記分担して行う制御に加えて、前記複数のコントローラーのうち１つのコントローラーが単独で実行する必要のあるマスター制御を行うマスターコントローラーとして機能させ、
交替原因の発生に応じて、前記マスターコントローラーを、現にマスターコントローラーであるコントローラーから他のコントローラーに交替させることを特徴とする電子機器の制御方法。
【発明の詳細な説明】
【技術分野】
【０００１】
この発明は、プロジェクター、表示装置、電子機器および電子機器の制御方法に関する。
【背景技術】
【０００２】
プロジェクターでは、複雑で負荷の重い制御が必要とされる。このため、１つのＣＰＵ（Central Processing Unit）がプロジェクターの制御の全てを行うと、ＣＰＵの負担が大きくなって、ＣＰＵの消費電力が過度に増加し、製品の動作が不安定になり易くなる。そして、製品の動作の安定性を維持するためには、ＣＰＵの十分な放熱対策を施す必要があり、製品のコストが増加する問題がある。
【０００３】
そこで、特許文献１は、光源を駆動する光源駆動部と、プロジェクターを統括制御するメインＣＰＵと、メインＣＰＵの制御を補助し、光源駆動部を制御するサブＣＰＵを備えたプロジェクターを開示している。
【０００４】
この特許文献１に開示の技術によれば、プロジェクターの制御の負担がメインＣＰＵとサブＣＰＵとに分散されるため、１つのＣＰＵの消費電力が過度に増加するのを防止することができる。
【先行技術文献】
【特許文献】
【０００５】
【特許文献１】特開２０１１−１５４０６９号公報
【発明の概要】
【発明が解決しようとする課題】
【０００６】
ところで、近年、ＩＣ（Integrated Circuit；集積回路）の微細化が進み、プロジェクターの制御を行うＣＰＵの高機能化が可能になったが、その一方、ＣＰＵの消費電力が増加している。このため、特許文献１に記載されているように、制御の負担をメインＣＰＵとサブＣＰＵとに分散したとしても、プロジェクターの高機能化に伴って、サブＣＰＵの制御の負担が大きくなると、サブＣＰＵの消費電力が増加し、その動作が不安定になるという問題がある。この問題は、プロジェクター以外の表示装置や他の一般的な電子機器においても生じる。
【０００７】
この発明は、以上説明した事情に鑑みてなされたものであり、プロジェクター等の表示装置または電子機器において、装置を制御する手段の制御負担を緩和し、動作の安定化を可能にする技術的手段を提供することを課題の１つとする。
【課題を解決するための手段】
【０００８】
上述した課題を解決するため、本発明に係るプロジェクターの一態様は、異なる色成分の表示制御を行う複数のコントローラーを有し、前記複数のコントローラーにおける１つのコントローラーは、前記表示制御に加えて、前記複数のコントローラーのうち１つのコントローラーが単独で実行する必要のあるマスター制御を行うマスターコントローラーとして機能し、交替原因の発生に応じて、前記マスターコントローラーが現にマスターコントローラーであるコントローラーから他のコントローラーに交替することを特徴とする。
【０００９】
この態様によれば、大きな制御負担を負うマスターコントローラーを複数のコントローラーが交替して務めるので、マスターコントローラーとしての制御負担が複数のコントローラーに分散される。従って、特定のコントローラーの消費電力が過度に増加するのを防止し、プロジェクターの動作の安定化を実現することができる。
【００１０】
好ましい態様では、画像表示が一時停止するタイミングにおいて、マスターコントローラーの交替を行う。
【００１１】
この態様によれば、画像表示に支障を来さないで、マスターコントローラーの交替を行うことができる。
【００１２】
他の好ましい態様では、マスターコントローラーの温度又はその周囲温度が所定の温度以上になった場合に前記マスターコントローラーの交替を行う。
【００１３】
この態様によれば、マスターコントローラーの動作が不安定になる前にマスターコントローラーの交替を行うことができる。
【００１４】
他の好ましい態様では、マスターコントローラーとしての稼働時間が所定の時間以上になった場合に前記マスターコントローラーの交替を行う。
【００１５】
この態様においても、マスターコントローラーの動作が不安定になる前にマスターコントローラーの交替を行うことができる。
【００１６】
好ましい態様において、前記複数のコントローラーは、異なる色成分に対応した複数の画像生成パネルの駆動制御を行う複数のタイミングコントローラーであり、前記マスターコントローラーであるタイミングコントローラーは、前記複数の画像生成パネルに出力光を供給する光源の制御を行う。
【００１７】
この態様において、光源の制御は、負荷の重い処理である。この負荷の重い光源の制御をマスターコントローラーに行わせるようにしているので、プロジェクターの統括制御を行う手段の負担を軽くすることができる。また、マスターコントローラーを交替するようにしているので、マスターコントローラーの制御負担を複数のコントローラーに分散することができる。
【００１８】
本発明は、異なる色成分の表示制御を行う複数のコントローラーを有し、前記複数のコントローラーにおける１つのコントローラーは、前記表示制御に加えて、前記複数のコントローラーのうち１つのコントローラーが単独で実行する必要のあるマスター制御を行うマスターコントローラーとして機能し、交替原因の発生に応じて、前記マスターコントローラーが現にマスターコントローラーであるコントローラーから他のコントローラーに交替することを特徴とする表示装置としても実現され得る。
【００１９】
また、本発明は、共通の制御対象の制御を分担して行う複数のコントローラーを有し、前記複数のコントローラーにおける１つのコントローラーは、前記分担して行う制御に加えて、前記複数のコントローラーのうち１つのコントローラーが単独で実行する必要のあるマスター制御を行うマスターコントローラーとして機能し、交替原因の発生に応じて、前記マスターコントローラーが現にマスターコントローラーであるコントローラーから他のコントローラーに交替することを特徴とする電子機器としても実現され得る。
【００２０】
また、この発明は、共通の制御対象の制御を分担して行う複数のコントローラーを有する電子機器の制御方法において、前記複数のコントローラーにおける１つのコントローラーを、前記分担して行う制御に加えて、前記複数のコントローラーのうち１つのコントローラーが単独で実行する必要のあるマスター制御を行うマスターコントローラーとして機能させ、交替原因の発生に応じて、前記マスターコントローラーを、現にマスターコントローラーであるコントローラーから他のコントローラーに交替させることを特徴とする電子機器の制御方法としても実現され得る。
【図面の簡単な説明】
【００２１】
【図１】この発明による表示装置の一実施形態であるプロジェクターの構成を示すブロック図である。
【図２】同実施形態の動作例を示すシーケンス図である。
【図３】同実施形態における第１の光源制御処理に関連した機能構成を示すブロック図である。
【図４】同実施形態におえる第２の光源制御処理を示すフローチャートである。
【発明を実施するための形態】
【００２２】
以下、図面を参照しつつ本発明の実施形態を説明する。
【００２３】
（Ａ．実施形態）
【００２４】
（Ａ−１：構成）
図１は、この発明による表示装置の一実施形態であるプロジェクターの構成を示すブロック図である。このプロジェクターは、全体を制御するメインＣＰＵ１と、図示しないパーソナルコンピューター等の画像供給装置から画像データを受け取る入力Ｉ／Ｆ（インターフェース）２と、入力Ｉ／Ｆ２が受け取った画像データの処理を行う画像処理ＩＣ１００と、画像処理ＩＣ１００の処理を経た画像データに基づき、Ｒ、Ｇ、Ｂの色成分毎に表示制御を分担して行うタイミングコントローラー２００Ｒ、２００Ｇ、２００Ｂを有する。
【００２５】
画像処理ＩＣ１００において、スケーラー１０１ａおよび１０１ｂと、超解像部１０２ａおよび１０２ｂと、２画面合成部１１０は、２つの画面を合成した画面を表示する機能を実現するために設けられた手段である。
【００２６】
ここで、スケーラー１０１ａは、入力Ｉ／Ｆ２を介して供給される第１の画面の画像データに対して画面の拡大縮小処理を施し、超解像部１０２ａは、スケーラー１０１ａの処理を経た画像データに超解像処理を施す。また、スケーラー１０１ｂは、入力Ｉ／Ｆ２を介して供給される第２の画面の画像データに対して画面の拡大縮小処理を施し、超解像部１０２ｂは、スケーラー１０１ｂの処理を経た画像データに超解像処理を施す。２画面合成部１１０は、超解像部１０２ａの処理を経た第１の画面の画像データと超解像部１０２ｂの処理を経た第２の画面の画像データに基づき、第１の画面と第２の画面が所望の状態で並んだ画面の画像データを合成する。
【００２７】
中間フレーム生成部１１１は、２画面合成部１１０が出力する画像データのフレーム間の補間を行う。ＯＳＤ部１１２は、中間フレーム生成部１１１が出力する画像データに対し、ＯＳＤ（On Screen Display）と呼ばれるメニューの画像データを埋め込む処理を行う。幾何補正部１１３は、ＯＳＤ部１１２の処理を経た画像データに対し、台形補正や曲面補正等、スクリーンの湾曲に対応した補正処理を施す。幾何補正部１１３の処理を経た画像データは、Ｒ、Ｇ、Ｂの色成分毎の画像データに分離され、タイミングコントローラー２００Ｒ、２００Ｇおよび２００Ｂに供給される。
【００２８】
レジスターＩ／Ｆ１２０は、以上説明した各モジュールの制御のためのパラメーターを画像処理ＩＣ１００の外部から取得する手段である。
【００２９】
タイミングコントローラー２００Ｒは、ＣＰＵ２０１と、レジスターＩ／Ｆ２０２と、光源制御部２１１と、ガンマー補正部２２１と、色むら補正部２２２と、パネル補正部２２３と、パネル駆動部２２４とを有する。他のタイミングコントローラー２００Ｇおよび２００Ｂもタイミングコントローラー２００Ｒと同様な構成を有する。
【００３０】
タイミングコントローラー２００Ｒにおいて、ＣＰＵ２０１は、同タイミングコントローラー２００Ｒ内の各モジュールを制御するためのパラメーターをメインＣＰＵ１から受け取ってレジスターＩ／Ｆ２０２に格納する。
【００３１】
タイミングコントローラー２００Ｒ、２００Ｇおよび２００Ｂ（具体的には各々のＣＰＵ２０１）と、画像処理ＩＣ１００は、Ｉ２Ｃ（Inter-Integrated Circuit）を介して通信が可能である。このＩ２Ｃは、マスターとスレーブ間をクロックとデータの２本でバス接続するＩ／Ｆである。このＩ２Ｃでは、マスターがスタートコンディションでバス所有権を取得し、スレーブと送受信を行い、ストップコンディションでバス解放を行うという流れで動作する。また、ストップ状態のときにマスターとスレーブの入れ替えが可能となる。
【００３２】
本実施形態では、タイミングコントローラー２００Ｒ、２００Ｇまたは２００Ｂのいずれかがマスターとなり得る。タイミングコントローラー２００Ｒがマスターとなる場合、タイミングコントローラー２００Ｇおよび２００Ｂと画像処理ＩＣ１００がスレーブとなる。タイミングコントローラー２００Ｇがマスターとなる場合、タイミングコントローラー２００Ｒおよび２００Ｂと画像処理ＩＣ１００がスレーブとなる。タイミングコントローラー２００Ｂがマスターとなる場合、タイミングコントローラー２００Ｒおよび２００Ｇと画像処理ＩＣ１００がスレーブとなる。なお、マスターとなるタイミングコントローラーと画像処理ＩＣ１００との間の通信はＳＰＩ（Serial Peripheral Interface）により行ってもよい。
【００３３】
本実施形態において、マスタータイミングコントローラであるタイミングコントローラーは、当該タイミングコントローラーが分担する色成分の表示制御に加えて、分担になじまない制御、すなわち、１つのタイミングコントローラーが単独で実行する必要のあるマスター制御を行う。プロジェクターの起動時にマスタータイミングコントローラーが主体となって行うマスター制御には、プロジェクターの起動時における電源シーケンス、クロック起動、液晶パネル３１２Ｒ、３１２Ｇ、３１２Ｂの起動、光源３０２の起動、画像処理ＩＣ１００の初期設定などが含まれる。また、本実施形態において、プロジェクターの画像表示内容の切替時にマスタータイミングコントローラーが主体となって行うマスター制御には、クロック動作の切替、画像処理ＩＣ１００の設定変更、光源３０２の輝度モード切替などが含まれる。また、本実施形態において、マスタータイミングコントローラーが主体となって行う一定周期のマスター制御には、温度監視、画像特徴に応じた光源輝度制御、光源キャリブレーション（明るさ、色度）、設置キャリブレーション（投射位置変動やピントずれ）などが含まれる。さらにマスタータイミングコントローラーは、温度異常検知時の動作など、偶発的動作もマスター制御として行う。
【００３４】
本実施形態において、タイミングコントローラー２００Ｒ、２００Ｇおよび２００ＢのＣＰＵ２０１は、所定の交替原因の発生を検知した場合にマスタータイミングコントローラーの交替を行う機能を有している。交替原因の発生を検知するタイミングとして、次のものが挙げられる。
【００３５】
第１にプロジェクターの起動シーケンスが終了し、安定して表示するようになったタイミングである。第２にマスタータイミングコントローラーの実行していた高負荷処理が一段落し、通信休止になったタイミングである。第３に一定周期の監視の一連処理が終了したタイミングである。第４に画像入力の切り替え等、プロジェクターの画像表示が一時停止するタイミングである。第５にセンサーによりマスタータイミングコントローラーの所定限度を越える温度上昇が観測されたタイミングである。
【００３６】
また、交替原因の有無は、例えば現時点までの一定時間内のマスタータイミングコントローラーの消費電力量が所定量以上であるか否か、マスタータイミングコントローラーであるＩＣの表面温度またはＩＣの周囲温度が所定の温度以上であるか否か、またはマスタータイミングコントローラーとしての稼働時間が所定時間以上であるか否か等に基づいて判断される。
【００３７】
交替の方法には各種考えられるが、本実施形態ではラウンドロビン方式によりマスタータイミングコントローラーの交替を行う。なお、他の態様として、例えば３つのタイミングコントローラー２００Ｒ、２００Ｇ、２００Ｂの中の１つを通常時のマスタータイミングコントローラーとし、そのマスタータイミングコントローラーに交替原因が発生した場合に、他の２つのうちの１つのタイミングコントローラーがマスタータイミングコントローラーになる態様が考えられる。
【００３８】
タイミングコントローラー２００Ｒにおいて、ガンマー補正部２２１は、画像処理ＩＣ１００から供給されるＲ色の画像データにガンマー補正を施す手段である。このガンマー補正は、液晶パネル３１２Ｒの入力電圧に対する透過光強度の非線形歪を補正する処理である。
【００３９】
色むら補正部２２２は、ガンマー補正部２２１の処理を経た画像データに対し、液晶パネル３１２Ｒの各画素に同一入力電圧を与えた場合の面内における透過光強度の偏りを補正する色むら補正を施す。
【００４０】
パネル補正部２２３は、色むら補正部２２２の処理を経た画像データに対し、液晶パネル３１２Ｒの応答性を補償する処理を施す。具体的には、パネル補正部２２３は、画像データのオーバードライブを行う。ここで、オーバードライブとは、現在のフレームと次のフレームの階調の変化量に応じて、次のフレームの駆動電圧を変化させる処理である。
【００４１】
パネル駆動部２２４は、パネル補正部２２３の処理を経た画像データに基づいて、液晶パネル３１２Ｒの各画素を駆動する画像信号を生成し、液晶パネル３１２Ｒの駆動タイミングを制御する垂直走査信号、水平走査信号、クロック等のタイミング信号とともに、液晶ドライバー３１１Ｒに供給する手段である。
【００４２】
図１における液晶ドライバー３１１Ｒは、タイミングコントローラー２００Ｒから出力される画像信号と、垂直走査信号、水平走査信号、クロック等のタイミング信号に基づいて、液晶パネル３１２Ｒを駆動し、Ｒ色の画像の表示を行わせる。
【００４３】
図１において、タイミングコントローラー２００Ｒがマスタータイミングコントローラーである場合、タイミングコントローラー２００Ｒの光源制御部２１１は、タイミングコントローラー２００Ｒ、２００Ｇおよび２００Ｂ内において発生する情報を収集して、光源３０２を制御するための光源制御処理をマスター制御として実行する。なお、光源制御処理については、説明の重複を避けるため、本実施形態の動作説明において詳細を明らかにする。
【００４４】
光源３０２は、画像生成パネルとしての液晶パネル３１２Ｒ、３１２Ｇおよび３１２Ｂを透過させる光を発生する光源である。通常のプロジェクターと同様、本実施形態におけるプロジェクターでも、液晶パネル３１２Ｒ、３１２Ｇおよび３１２Ｂを透過した各透過光を光学系によりスクリーンに重ねて投影する。
【００４５】
光源ドライバー３０１は、光源３０２の駆動制御を行う装置である。各タイミングコントローラー２００Ｒ、２００Ｇおよび２００Ｂの光源制御部２１１と、光源ドライバー３０１との間にはマルチプレクサー３２１が介在している。各タイミングコントローラー２００Ｒ、２００Ｇおよび２００Ｂのうちマスタータイミングコントローラーの光源制御部２１１のみが光源ドライバー３０１と接続され、光源ドライバー３０１を介して光源３０２の駆動制御を行う。
【００４６】
（Ａ−２：動作）
図２は本実施形態によるプロジェクターの動作例を示すシーケンス図である。この動作例において、最初はタイミングコントローラー２００Ｒがマスター、他のタイミングコントローラー２００Ｇおよび２００Ｂがスレーブとなっている。この状態において、マスタータイミングコントローラー２００Ｒは、スレーブタイミングコントローラー２００Ｇおよび２００Ｂにおいて発生する情報を収集し（ステップＳ１０１およびＳ１０２）、マスタータイミングコントローラーとしての処理を行う。
【００４７】
マスタータイミングコントローラーが行う処理の一例として、光源制御部２１１による光源制御処理がある。この光源制御処理には、第１の光源制御処理と第２の光源制御処理が含まれる。
【００４８】
図３は第１の光源制御処理に関連した光源制御部２１１の機能構成を示すブロック図である。この第１の光源制御処理は、１つのタイミングコントローラーが単独で実行する必要のあるマスター制御に属するが、複数のタイミングコントローラーにおいて発生する情報に基づく共通制御としての性格を有する。各タイミングコントローラーの光源制御部２１１は、特徴量取得部２１１１と、光量設定部２１１２とを有する。各タイミングコントローラーのうちマスターコントローラー（この例ではタイミングコントローラー２００Ｒ）の光源制御部２１１の特徴量取得部２１１１および光量設定部２１１２は機能するが、他の２つのスレーブタイミングコントローラーの光源制御部２１１の特徴量取得部２１１１および光量設定部２１１２は機能しない。
【００４９】
マスタータイミングコントローラーにおいて、特徴量取得部２１１１は、フレーム毎に、画像データをパネル補正部２２３から取得するとともに、他の２つのスレーブタイミングコントローラーのパネル補正部２２３の発生した画像データをタイミングコントローラー間の通信を利用して取得する。そして、特徴量取得部２１１１は、取得したＲ、Ｇ、Ｂの３色の画像データに基づいて、１フレーム分の画面の特徴量、具体的には画面を構成する各画素の統計値（輝度最大値、輝度最小値、平均値など）を算出する。
【００５０】
マスタータイミングコントローラーの光量設定部２１１２は、特徴量取得部２１１１が算出した特徴量に基づいて、光源３０２の光量を設定する。例えば、Ｒ、Ｇ、Ｂいずれの色についても画面内の最大輝度が小さい場合は光源３０２の光量を下げ、いずれかの色の最大輝度が大きい場合は光源３０２の光量を上げることで、プロジェクターのダイナミックコントラストを大きくする。
【００５１】
図４は第２の光源制御処理を示すフローチャートである。この第２の光源制御処理は、例えばプロジェクターの電源が投入されて光源３０２が光源ドライバー３０１によって駆動されることにより開始される。ここで、光源３０２から射出されて液晶パネル３１２Ｒ、３１２Ｇ、３１２Ｂに向かう白色光のうち、液晶パネル３１２Ｒ、３１２Ｇ、３１２Ｂに入射されない漏れ光の一部が図示しない光センサーで検出される。マスタータイミングコントローラーの光源制御部２１１は、この光センサーの検出結果を取得し（ステップＳ１１）、取得した検出結果を記録する（ステップＳ１２）。光センサーの検出結果の記録が終了すると、マスタータイミングコントローラーの光源制御部２１１は、ステップＳ１１で取得した検出結果が予め定められている設定範囲内であるか否かを判断する（ステップＳ１３）。例えば、光センサーで検出される光量が、予め定められた光源３０２の最大光量と最小光量との間であるか否か、或いは予め定められた基準光量に対する誤差の範囲内に収まっているか否か等を判断する。
【００５２】
ステップＳ１１で取得した検出結果が設定範囲内であると判断した場合（ステップＳ１３の判断結果が「ＹＥＳ」である場合）には、マスタータイミングコントローラーの光源制御部２１１は、前回記録した検出結果を用いて光源３０２から射出される白色光の光量の変化率を算出する（ステップＳ１４）。ここで、図４に示す通り、ステップＳ１３の判断結果が「ＹＥＳ」であり、且つ、後述するステップＳ１５の判断結果が「ＮＯ」である場合には、ステップＳ１１〜Ｓ１６のループによって光センサーの検出結果が一定時間毎に取得されて記録される（ステップＳ１１，Ｓ１２）。
【００５３】
このため、マスタータイミングコントローラーの光源制御部２１１は、前回取得されて記録された光センサーの検出結果と、今回新たにステップＳ１１で取得された光センサーの検出結果とを用いて光源３０２から射出される白色光の光量の変化率を算出する。尚、ステップＳ１１〜Ｓ１６のループによって光センサーの検出結果は順次記録されるため、マスタータイミングコントローラーの光源制御部２１１が備えるメモリー（図示省略）の容量に応じて、１秒以下の瞬間的な光量の変化率、数十秒内における光量の変化率、数分毎の光量の変化率、数時間毎の光量の変化率、製品出荷時からの光量の変化率、製品点灯時からの光量の変化率等を求めることが可能である。何れの変化率を求めるかは予めマスタータイミングコントローラーの光源制御部２１１に設定されている。
【００５４】
光量の変化率を算出すると、マスタータイミングコントローラーの光源制御部２１１は、その変化率が予め設定された閾値よりも大であるか否かを判断する（ステップＳ１５）。ステップＳ１４で算出した変化率が閾値以下であると判断した場合（判断結果が「ＮＯ」の場合）には、マスタータイミングコントローラーの光源制御部２１１は、その変化率に応じて光源ドライバー３０１または画像処理ＩＣ１００に対する制御量を補正し、光源３０２から射出される光量を変化させる。すなわち、光量の変化率が小さい場合には、その光量の変化に合わせて光量等の制御を行っている。尚、ステップＳ１６の処理が終了すると、ステップＳ１１の処理に戻る。
【００５５】
これに対し、ステップＳ１４で算出した変化率が閾値よりも大であると判断した場合（ステップＳ１５の判断結果が「ＹＥＳ」の場合）には、マスタータイミングコントローラーの光源制御部２１１は、光源ドライバー３０１に対して光源３０２の駆動を停止させる制御を行う（ステップＳ１７）。すなわち、ステップＳ１１で取得した検出結果が設定範囲内であるとステップＳ１３で判断されたにも拘わらず光量の急激な変化が生じた場合には、光源３０２の劣化或いは温度上昇が生じたと判断し、光源３０２の寿命が急激に短くなるのを防止するため、光源３０２の駆動を停止させる。そして、マスタータイミングコントローラーの光源制御部２１１は、プロジェクターに設けられた表示装置（図示省略）に対して異常原因（例えば、光量の急激な変化が生じた等）を表示する（ステップＳ１８）。
【００５６】
他方、ステップＳ１１で取得した検出結果が設定範囲外であると判断した場合（ステップＳ１３の判断結果が「ＮＯ」である場合）には、マスタータイミングコントローラーの光源制御部２１１は、光源ドライバー３０１に対して光源３０２の駆動を停止させる制御を行う（ステップＳ１７）。すなわち、光源３０２から設定範囲外の光量を有する白色光が射出されているため、安全性を考慮して光源３０２の駆動を停止させている。
【００５７】
光源３０２の発光を停止させると、マスタータイミングコントローラーの光源制御部２１１は、プロジェクターに設けられた表示装置（図示省略）に対して異常原因を表示する（ステップＳ１８）。尚、ステップＳ１８の処理が行われることにより、図４に示したフローチャートの一連の処理が終了する。
以上がマスタータイミングコントローラー２００Ｒの光源制御部２１１により行われる光源制御処理である。
【００５８】
図２に戻って、マスタータイミングコントローラー２００Ｒは、上述した交替原因の発生検知タイミングにおいて交替原因の発生を検知すると（ステップＳ１０３）、スレーブタイミングコントローラー２００Ｇおよび２００Ｂとの間でマスタータイミングコントローラーの交替のための手続を実行する（ステップＳ１０４）。具体的には、各タイミングコントローラー２００Ｒ、２００Ｇ、２００Ｂおよび画像処理ＩＣ１００間のＩ２Ｃによる通信がストップ状態になったときにタイミングコントローラー２００Ｇがマスターとなり、タイミングコントローラー２００Ｒ、２００Ｂおよび画像処理ＩＣ１００がスレーブとなる。
【００５９】
この状態になると、マスタータイミングコントローラー２００Ｇは、スレーブタイミングコントローラー２００Ｒおよび２００Ｂにおいて発生する情報を収集し（ステップＳ１１１およびＳ１１２）、マスタータイミングコントローラーとしての処理を行う。
【００６０】
マスタータイミングコントローラー２００Ｇは、上述した交替原因の発生検知タイミングにおいて交替原因の発生を検知すると（ステップＳ１１３）、スレーブタイミングコントローラー２００Ｒおよび２００Ｂとの間でマスタータイミングコントローラーの交替のための手続を実行する（ステップＳ１１４）。
【００６１】
これによりタイミングコントローラー２００Ｂがマスターとなる。以下、同様であり、タイミングコントローラー２００Ｂがマスターとして動作（ステップＳ１２１、Ｓ１２２）している期間に交替原因の発生が検知されると（ステップＳ１２３）、各タイミングコントローラー間で交替のための手続が行われる（ステップＳ１２４）。そして、再びタイミングコントローラー２００Ｒがマスターとして動作する（ステップＳ１３１、Ｓ１３２）。
【００６２】
以上のように本実施形態によれば、３つのタイミングコントローラーのうち１つをマスタータイミングコントローラーとして用い、他の２つのタイミングコントローラーをスレーブタイミングコントローラーとする。さらに本実施形態では、画像処理ＩＣ１００もマスタータイミングコントローラーのスレーブとする。従って、本実施形態によれば、メインＣＰＵ１の必要信号線数を減らし、メインＣＰＵ１の作業負荷を減らすことができるので、システム全体として構成しやすくなる。
【００６３】
また、本実施形態では、画像処理ＩＣ１００とタイミングコントローラー２００Ｒ、２００Ｇおよび２００Ｂが同じメインＣＰＵ１により制御されるので、画像を扱う機能を統一して制御することができる。
【００６４】
近年は光源としてレーザー光源を用い、画像内容と連動して輝度を制御（調光）して画像品質を高める処理も行っている。このため、光源輝度変更タイミングは液晶駆動タイミングと密接に関連する。本実施形態では、光源制御をタイミングコントローラーが行うようにしているので、液晶駆動タイミングに同期した適切なタイミングで光源制御を行うことが可能である。
【００６５】
本実施形態の比較例として、マスタータイミングコントローラーの交替機能を有しておらず、タイミングコントローラー２００Ｒ、２００Ｇ、２００Ｂの中の１台（例えばタイミングコントローラー２００Ｒとする）が継続してマスタータイミングコントローラーとして機能するプロジェクターが考えられる。
【００６６】
このようなプロジェクターでは、マスタータイミングコントローラー２００Ｒの負荷が重くなるので、マスタータイミングコントローラー２００ＲであるＩＣの温度や消費電力が上がり、ＩＣの動作保証が困難になる。具体的には、ＩＣの動作保証温度範囲の上限側において、ＩＣの温度が環境温度に加え、ＩＣの消費電力に依存してさらに高くなるため、ＩＣの動作が不安定になる恐れがある。また、ＩＣの消費電力が上がり、その消費電力に比例してＩＣ内部の電源電圧が低下し、最低動作保証電圧を保てなくなる恐れがある。
【００６７】
ＩＣの動作を保証するためには、ＩＣ設計時にプロセスやパッケージの選択、内部の電源やコンデンサの配置などにゆとりを持った設計を行うことが考えられる。しかし、そのような設計を行うと、ＩＣのコストアップにつながる。また、ＩＣの動作を保証するためには、製品設計時にＩＣの放熱対策をしっかりと行う必要がある。しかし、本来３つのタイミングコントローラー２００Ｒ、２００Ｇおよび２００Ｂは、その周辺が同一構成なので、共通設計・共通部品としたいところである。このため、マスタータイミングコントローラー２００Ｒに必要な熱対策をスレーブタイミングコントローラー２００Ｇおよび２００Ｂにも行うのは、コストアップ要因となる。
【００６８】
本実施形態では、マスタータイミングコントローラーの交替機能を設けたため、１台の特定のタイミングコントローラーの消費電力のみが他のタイミングコントローラーの消費電力に比べて高い状態が恒常的に継続されるのを回避することができる。従って、本実施形態によれば、タイミングコントローラー２００Ｒ、２００Ｇおよび２００Ｂの各々の時間軸上で均した消費電力を同程度の消費電力にすることができ、コストアップを招くことなく、タイミングコントローラーであるＩＣのプロセスやパッケージの選択、内部の電源やコンデンサの配置などを行うことができる。また、ＩＣの動作を保証するためのＩＣの放熱対策も、タイミングコントローラー２００Ｒ、２００Ｇおよび２００Ｂ間で共通にすることができる。従って、本実施形態によれば、プロジェクターのコストアップを回避することができる。
【００６９】
（Ｂ：他の実施形態）
以上、この発明の一実施形態について説明したが、この発明には他の実施形態が考えられる。例えば次の通りである。
【００７０】
（１）マスタータイミングコントローラーが色バランスのとれたガンマー補正のルックアップテーブルを作成し、スレーブタイミングコントローラーに供給するようにしてもよい。具体的には、マスタータイミングコントローラーが、液晶パネルＲ、Ｇ、Ｂの駆動制御を各タイミングコントローラーに行わせ、スクリーンにおける表示色をカメラーにより撮像する。そして、スクリーンでの表示色の白色になるように、色バランスをとりつつガンマー補正用のルックアップテーブルを作成するのである。なお、カメラを使わず、液晶パネルの仕様と予め取得した経時変化に関する情報に基づいてガンマー補正用のルックアップテーブルを作成してもよい。
【００７１】
（２）上記実施形態では、第１の光源制御処理において、マスタータイミングコントローラーが、当該マスタータイミングコントローラーおよび他の２つのスレーブタイミングコントローラーから各色成分の画像データを収集して、１フレームを構成する各画素の輝度を求め、この各画素の輝度に基づいて特徴量を求めた。しかし、上記実施形態では、スレーブタイミングコントローラーからマスタータイミングコントローラーへ伝送される画像データのデータ量が大きくなる。そこで、スレーブタイミングコントローラーからマスタータイミングコントローラーに伝送する際に画像データの解像度を落とすようにしてもよい。あるいはスレーブタイミングコントローラーにおいて、単一の色成分についての画像の特徴量を算出してマスタータイミングコントローラーへ伝送し、マスタータイミングコトローラーでは、各タイミングコントローラーにおいて得られた単一の色成分での特徴量から各色成分を総合した特徴量を合成してもよい。
【００７２】
（３）上記実施形態では、この発明をプロジェクターに適用した。しかし、この発明は、例えばパーソナルコンピューターの液晶ディスプレー等、プロジェクター以外の表示装置にも適用可能である。また、この発明は、表示装置以外の電子機器にも適用可能である。また、上述した実施形態では、複数のタイミングコントローラーのうち、マスターとなるマスタータイミングコントローラーを交替させる方法を説明したが、この発明は、タイミングの制御に限定されるものではない。すなわち、この発明は、共通の制御対象の制御を分担して行う複数のコントローラーを有する電子機器を想定する。複数のコントローラーにおける１つのコントローラーは、分担して行う制御に加えて、複数のコントローラーのうち１つのコントローラーが単独で実行する必要のあるマスター制御を行うマスターコントローラーとして機能する。この発明は、交替原因の発生に応じて、マスターコントローラーが現にマスターコントローラーであるコントローラーから他のコントローラーに交替することを特徴とする電子機器として実現され得る。
【符号の説明】
【００７３】
１…メインＣＰＵ、１００…画像処理ＩＣ、２００Ｒ，２００Ｇ，２００Ｂ…タイミングコントローラー、３０１…光源ドライバー、３０２…光源、３１１Ｒ，３１１Ｇ，３１１Ｂ…液晶ドライバー、３１２Ｒ，３１２Ｇ，３１２Ｂ…液晶パネル、１０２ａ，１０２ｂ…スケーラー、１０２ａ，１０２ｂ…超解像部、１１０…２画面合成部、１１１…中間フレーム生成部、１１２…ＯＳＤ部、１１３…幾何補正部、１２０…レジスターＩ／Ｆ、２０１…ＣＰＵ、２０２…レジスターＩ／Ｆ、２１１…光源制御部、２２１…ガンマー補正部、２２２…色むら補正部、２２３…パネル補正部、２２４…パネル駆動部、２１１１…特徴量取得部、２１１２…光量設定部。
【図１】
2019062334.tif 000003
【図２】
2019062334.tif 000004
【図３】
2019062334.tif 000005
【図４】
2019062334.tif 000006